(57)【要約】  【課題】  羽根部材を定位置で維持する際に電力を消費せず、時間制限無しで開状態を維持することも可能な弾球遊技機の入賞装置を提供すること。  【解決手段】  入賞装置１において、入賞口２５に遊技球が入ると、その遊技球が揺動部材９の受け皿部３７の上に載り、遊技球の重みで揺動部材９が第１の位置から第２の位置へ揺動し、羽根部材７，７を閉位置から開位置へと回動させる。羽根部材７，７を閉位置に作動させたい場合には、電磁石１３に通電することにより、電磁石１３を励磁状態にして電磁石１３と永久磁石１１との間に反発力を発生させ、この反発力で揺動部材９を第２の位置から第１の位置へと揺動させる。【選択図】  図３
2005028034.tif 000002
【特許請求の範囲】
【請求項１】
入賞口が形成された本体と、
上端間を通る遊技球を前記入賞口へと誘導する部材であり、上端間の間隔を狭める閉位置、または前記間隔を拡げる開位置へ回動可能な一対の羽根部材と、
第１の位置または第２の位置へ揺動可能で、前記第１の位置への揺動に伴って前記羽根部材を前記閉位置へと回動させる一方、前記第２の位置への揺動に伴って前記羽根部材を前記開位置へと回動させるように構成され、前記第１の位置にある状態において前記入賞口に遊技球が入ると、該遊技球が上に載って該遊技球の重みで前記第２の位置へ揺動する揺動部材と、
該揺動部材に取り付けられた永久磁石と、
前記揺動部材が前記第２の位置へ揺動したときに前記永久磁石に当接する位置に設けられ、非通電時には、前記揺動部材が前記第２の位置へ揺動したときに前記永久磁石に磁着することにより、前記揺動部材を前記第２の位置に保持する一方、通電時には、前記永久磁石との間に反発力を発生させて、該反発力で前記揺動部材を前記第２の位置から前記第１の位置へと揺動させる電磁石と
を備えたことを特徴とする弾球遊技機の入賞装置。
【請求項２】
前記揺動部材が前記第１の位置へ揺動したときに前記永久磁石に当接する位置に、前記永久磁石に磁着する磁着部材
を備えたことを特徴とする請求項１に記載の弾球遊技機の入賞装置。
【請求項３】
前記揺動部材が前記第１の位置へ揺動したことを検出する揺動位置センサ
を備えたことを特徴とする請求項１または請求項２に記載の弾球遊技機の入賞装置。
【請求項４】
前記入賞口に入った遊技球が通過したことを検出する通過センサ
を備えたことを特徴とする請求項１〜請求項３のいずれかに記載の弾球遊技機の入賞装置。
【発明の詳細な説明】
【技術分野】
【０００１】
本発明は、弾球遊技機の入賞装置に関する。
【背景技術】
【０００２】
従来、パチンコ機に代表される弾球遊技機には、種々の入賞装置が設けられているが、その一つとして、「チューリップ」と呼ばれるタイプの入賞装置が知られている。
このチューリップ型の入賞装置は、左右一対の羽根部材を備えており、この羽根部材が下端側を軸にして互いに相反する方向へ回動することにより、羽根部材の上端側がなす間隙の広狭を変化させて、遊技球の入球確率を変化させるものである。
【０００３】
また、チューリップ型の入賞装置が広く知られるようになった当初は、遊技球の重みで羽根部材が作動するように構成されていたが、最近はソレノイドで羽根部材を作動させるタイプのもの（いわゆる電動チューリップと呼ばれるもの。）が主流となっている（例えば、特許文献１参照。）。
【特許文献１】実開平０６−０２１６７５号公報
【発明の開示】
【発明が解決しようとする課題】
【０００４】
しかしながら、上記のような電動チューリップは、ソレノイドへの通電に伴って羽根部材が開位置へと変位する一方、通電を停止すると羽根部材が閉位置へと変位する構造になっていたため、羽根部材を開位置へ変位させた状態を維持する期間中に、ソレノイドが電力を消費し続けることになる、という欠点があった。
【０００５】
また、このようにソレノイドが電力を消費し続ける構造であるため、羽根部材を開位置へ変位させた状態を長時間にわたって維持するとができなかった。すなわち、羽根部材を開位置へ変位させた状態を維持するためにソレノイドへの通電を長時間にわたって継続すると、場合によっては、ソレノイドの過熱や焼損を招くおそれがあるため、このような過熱や焼損を避けるには、通電時間を過剰に長時間にならないように制限せざるを得なかった。
【０００６】
そのため、従来の電動チューリップでは、遊技球が次に入球するまでは時間制限無しで開状態を維持するとか、遊技球が所定数入球するまでは時間制限無しで開状態を維持するといった動作態様の入賞装置を構成することができなかった。
【０００７】
本発明は、上記問題を解決するためになされたものであり、その目的は、羽根部材を定位置で維持する際に電力を消費せず、時間制限無しで開状態を維持することも可能な弾球遊技機の入賞装置を提供することにある。
【課題を解決するための手段】
【０００８】
上記目的を達成するため、本発明においては、次のような特徴的構成を採用した。
すなわち、本発明の弾球遊技機の入賞装置は、
入賞口が形成された本体と、
上端間を通る遊技球を前記入賞口へと誘導する部材であり、上端間の間隔を狭める閉位置、または前記間隔を拡げる開位置へ回動可能な一対の羽根部材と、
第１の位置または第２の位置へ揺動可能で、前記第１の位置への揺動に伴って前記羽根部材を前記閉位置へと回動させる一方、前記第２の位置への揺動に伴って前記羽根部材を前記開位置へと回動させるように構成され、前記第１の位置にある状態において前記入賞口に遊技球が入ると、該遊技球が上に載って該遊技球の重みで前記第２の位置へ揺動する揺動部材と、
該揺動部材に取り付けられた永久磁石と、
前記揺動部材が前記第２の位置へ揺動したときに前記永久磁石に当接する位置に設けられ、非通電時には、前記揺動部材が前記第２の位置へ揺動したときに前記永久磁石に磁着することにより、前記揺動部材を前記第２の位置に保持する一方、通電時には、前記永久磁石との間に反発力を発生させて、該反発力で前記揺動部材を前記第２の位置から前記第１の位置へと揺動させる電磁石と
を備えたことを特徴とする。
【０００９】
また、本発明の弾球遊技機の入賞装置は、
前記揺動部材が前記第１の位置へ揺動したときに前記永久磁石に当接する位置に、前記永久磁石に磁着する磁着部材
を備えていてもよい。
【００１０】
また、本発明の弾球遊技機の入賞装置は、
前記揺動部材が前記第１の位置へ揺動したことを検出する揺動位置センサ
を備えていてもよい。
【００１１】
さらに、本発明の弾球遊技機の入賞装置は、
前記入賞口に入った遊技球が通過したことを検出する通過センサ
を備えていてもよい。
【００１２】
上記のような入賞装置によれば、羽根部材が閉位置にある状態において、本体に形成された入賞口に遊技球が入ると、その遊技球が揺動部材の上に載り、遊技球の重みで揺動部材が第１の位置から第２の位置へ揺動する。このとき、第１の位置から第２の位置へ揺動する揺動部材は、羽根部材を閉位置から開位置へと回動させる。揺動部材が第２の位置へ移動すると、揺動部材に取り付けられた永久磁石は、非通電状態となっている電磁石に当接して磁着する。これにより、揺動部材の上に載った遊技球が揺動部材から転落するのに伴い、揺動部材に作用する力のバランスが変化しても、永久磁石と電磁石との間に作用する磁力によって、揺動部材は第２の位置に保持されたままとなる。
【００１３】
一方、羽根部材が開位置にある状態において、羽根部材を閉位置に作動させたい場合には、電磁石に通電することにより、電磁石を励磁状態にして電磁石と永久磁石との間に反発力を発生させ、この反発力で揺動部材を第２の位置から第１の位置へと揺動させる。このとき、第２の位置から第１の位置へ揺動する揺動部材は、羽根部材を開位置から閉位置へと回動させる。電磁石への通電は、羽根部材を開位置から閉位置へと回動させるのに必要な力が発揮される程度のごく短時間だけでよく、このとき消費されるエネルギーは、ソレノイドに通電して羽根部材を開位置に保持する場合よりも、格段に少なくて済む。
【００１４】
羽根部材を閉位置に作動させるタイミングは、弾球遊技機毎に設定される条件によって変わり、この条件は任意であるが、例えば、羽根部材が開位置にある状態において次の遊技球が入賞した場合、羽根部材が開位置にある状態において所定数の遊技球が入賞した場合など、時間制限以外の条件を設定する場合に本発明はきわめて効果的である。ただし本発明の入賞装置は、時間制限を設けて作動させることも可能であり、例えば１０秒後には入賞の有無にかかわらず羽根部材を閉位置に作動させる、といった動作態様にすることもできる。さらに、これら入球数や時間制限を併用することも可能であり、他の入賞装置に入賞したことを条件に本入賞装置を作動させるなど、複数の入賞装置を連動させることもできる。
【００１５】
以上のような入賞装置によれば、入賞した遊技球の重みで羽根部材が開位置へと回動し、さらに永久磁石と電磁石との磁着によって羽根部材が開位置で保持されるので、羽根部材が開位置にある状態を維持するためにソレノイドへの通電を継続する装置とは異なり、無駄なエネルギー消費を抑制できる。また、羽根部材の位置を開位置又は閉位置のいずれで保持する場合にも電磁石への通電を継続する必要がなく、電磁石の過熱や焼損を招くことはないので、例えば、遊技球が次に入球するまでは時間制限無しで開状態を維持するとか、遊技球が所定数入球するまでは時間制限無しで開状態を維持するなど、時間制限無しで開状態を維持することも可能となる。さらに、ソレノイドは可動鉄心が組み込まれた電気−機械変換素子であり、吸引力・反発力のみを発生させる電磁石に比べると構造が複雑で高価な部品になるので、本発明の入賞装置の方が、ソレノイドを組み込んだ入賞装置装置よりも安価に提供できるものとなる。
【００１６】
なお、揺動部材が第１の位置へ揺動したときに永久磁石に当接する位置に、永久磁石に磁着する磁着部材が設けてあれば、揺動部材が第１の位置へ揺動したときにも、揺動部材を第１の位置に維持することが容易になる。ただし、この場合は、磁着部材と永久磁石との磁着力を、遊技球の重みで揺動部材が第１の位置から第２の位置へ揺動するのを阻止してしまうことがない程度となるように調節すべきである。
【００１７】
また、揺動部材が第１の位置へ揺動したことを検出する揺動位置センサを設けてあれば、揺動部材が第１の位置へ揺動したこと（＝羽根部材が閉位置へ回動したこと）を確実に検出できるので、例えば、揺動部材が第１の位置へ揺動したことを揺動位置センサで検出するまで電磁石に通電したり、電磁石に一定時間通電した後に揺動部材が第１の位置へ揺動したことを揺動位置センサで検出できない場合に電磁石に再度通電したりするなどの処理が可能となり、羽根部材を間違いなく閉位置に変位させることができるようになる。なお、このような揺動位置センサとしては、周知の各種リミットスイッチと同様の構成を任意に採用でき、例えば、揺動部材の揺動に伴ってオン／オフが切り替わる接触式のスイッチ、揺動部材の揺動に伴って光の透過状態ないし反射状態が切り替わる透過形ないし反射形のフォトインタラプタ、揺動部材の揺動に伴って変位する永久磁石の接近／離間を検出するホールＩＣ（ホール素子）などを利用して、揺動位置センサを構成することができる。
【００１８】
また、入賞口に入った遊技球が通過したことを検出する通過センサを設けてあれば、本入賞装置の遊技機への組み込みに際し、別途通過センサを設けなくても遊技球の入賞を検出できるので便利である。なお、このような通過センサは、金属体である遊技球が貫通穴内を通過したことを非接触で検出可能な素子であり、この種の入賞装置において多用されている周知のものを利用すればよい。
【発明の効果】
【００１９】
以上の説明から明らかなように、本発明によれば、羽根部材を定位置で維持するために電力を消費することがないので、無駄なエネルギーの消費を抑制できるという効果がある。
【００２０】
また、開状態を維持する際に過熱や焼損を招くおそれがないので、時間制限無しで開状態を維持することも可能となる、という効果がある。
さらに、可動鉄心を有するソレノイドよりも構造的に簡素な電磁石を利用しているので、入賞装置を安価に構成することができるという効果がある。
【発明を実施するための最良の形態】
【００２１】
次に、本発明の実施形態について一例を挙げて説明する。
図１（ａ）は入賞装置の平面図、同図（ｂ）は入賞装置の正面図、同図（ｃ）は入賞装置の右側面図である。また、図２（ａ）および同図（ｂ）は入賞装置の本体に形成された入賞口と羽根部材の位置関係を示す図、図３（ａ）および同図（ｂ）は入賞装置の縦断面図である。
【００２２】
この入賞装置１は、いわゆるチューリップ型の入賞装置であり、図１（ａ）〜同図（ｃ）に示すように、本体３、遊技球受け５、羽根部材７，７、揺動部材９、永久磁石１１、電磁石１３、磁着部材１５、揺動位置センサ１７、通過センサ１９などを備えている。
【００２３】
羽根部材７，７は、本体３と遊技球受け５との間に挟み込まれて、図２（ａ）および同図（ｂ）に示すように、軸２１，２１を中心に回動可能な状態で支持され、回動に伴って、上端間の間隔を狭める閉位置（図２（ａ）に示す位置）、または上端間の間隔を拡げる開位置（図２（ｂ）に示す位置）へ変位するように構成されている。また、羽根部材７，７の背面側には連接桿２３，２３が突設され、この連接桿２３，２３は、本体３に形成された入賞口２５に通されている。
【００２４】
揺動部材９は、本体３の背面側に突設された軸受体２７，２７によって、軸２９を中心に揺動可能な状態で支持されている。この揺動部材９は、羽根部材７，７の連接桿２３，２３が遊嵌する略Ｃ字状の爪部３１，３１を有し、第１の位置（図３（ａ）に示す位置）への揺動に伴って爪部３１，３１で羽根部材７，７の連接桿２３，２３を下方へと変位させ、これら連接桿２３，２３を図２（ａ）に示す位置まで下降させることにより、羽根部材７，７を閉位置へと回動させる。また、揺動部材９は、第２の位置（図３（ｂ）に示す位置）への揺動に伴って爪部３１，３１で羽根部材７，７の連接桿２３，２３を上方へと変位させ、これら連接桿２３，２３を図２（ｂ）に示す位置まで上昇させることにより、羽根部材７，７を開位置へと回動させる。なお、爪部３１，３１間は連結部３３によってつながれていて、爪部３１，３１は平行に上下動するため、羽根部材７，７は左右対称に開閉動作することになる。
【００２５】
また、揺動部材９は、一方（図１（ａ）において左側）の爪部３１の背面側からアーム部３５が延出され、アーム部３５の先端に受け皿部３７が設けられている。羽根部材７，７間に遊技球が入ると、その遊技球は入賞口２５を通って、本体３の背面側に突設された傾斜板３９の上を転がり、通過センサ１９の貫通穴を通り抜けた後、受け皿部３７の上に載る。その結果、揺動部材９の受け皿部３７に遊技球の重みがかかり、揺動部材９は、第１の位置（図３（ａ）に示す位置）から第２の位置（図３（ｂ）に示す位置）へ揺動する。なお、受け皿部３７に載った遊技球は、その後、受け皿部３７の側方（図１（ａ）において受け皿部３７の左側）へ転落し、遊技機内の回収通路（図示略）を経て回収されることになる。
【００２６】
永久磁石１１は、揺動部材９に対して固定され、揺動部材９の揺動に伴って変位する。揺動部材９が第１の位置（図３（ａ）に示す位置）にある場合、永久磁石１１は磁着部材１５（本実施形態においては鉄心）に磁着しており、これにより、揺動部材９が第１の位置に保持された状態になっている。永久磁石１１と磁着部材１５との間に作用する磁着力は、揺動部材９の受け皿部３７に遊技球の重みがかかると、永久磁石１１と磁着部材１５とが離間する程度の弱い力であるが、永久磁石１１と磁着部材１５とが磁着している状態において入賞装置１に振動が伝わる程度で両者が離間することはないので、予期しない振動等が原因で揺動部材９が揺動してしまうといった事態を防止することができる。
【００２７】
電磁石１３は、非通電時には単なる鉄心として機能し、揺動部材９が第２の位置（図３（ｂ）に示す位置）にある場合、永久磁石１１は電磁石１３に磁着し、これにより、揺動部材９が第２の位置に保持された状態になっている。一方、通電時には、永久磁石１１との間に反発力を発生させる磁石として機能し、この反発力で揺動部材９を第２の位置（図３（ｂ）に示す位置）から第１の位置（図３（ａ）に示す位置）へと揺動させる。
【００２８】
揺動位置センサ１７は、揺動部材９が第１の位置（図３（ａ）に示す位置）へ揺動したことを検出するセンサで、本実施形態においては、永久磁石１１の接近／離間を検出可能なホールＩＣを利用している。
【００２９】
通過センサ１９は、入賞口２５に入った遊技球が通過センサ１９に設けられた貫通穴を通り抜けるように配設され、遊技球が通過する毎にパルス信号を出力する周知のものである。
【００３０】
以上のように構成された入賞装置１によれば、羽根部材７，７が閉位置にある状態において、本体３に形成された入賞口２５に遊技球が入ると、その遊技球が揺動部材９の受け皿部３７の上に載り、その遊技球の重みで揺動部材９が第１の位置から第２の位置へ揺動する。このとき、第１の位置から第２の位置へ揺動する揺動部材９は、羽根部材７，７を閉位置から開位置へと回動させる。揺動部材９が第２の位置へ移動すると、揺動部材９に取り付けられた永久磁石１１は、非通電状態となっている電磁石１３に当接して磁着する。これにより、揺動部材９の上に載った遊技球が揺動部材９から転落するのに伴い、揺動部材９に作用する力のバランスが変化しても、永久磁石１１と電磁石１３との間に作用する磁力によって、揺動部材９は第２の位置に保持されたままとなる。
【００３１】
一方、羽根部材７，７が開位置にある状態において、羽根部材７，７を閉位置に作動させたい場合には、電磁石１３に通電することにより、電磁石１３を励磁状態にして電磁石１３と永久磁石１１との間に反発力を発生させ、この反発力で揺動部材９を第２の位置から第１の位置へと揺動させる。このとき、第２の位置から第１の位置へ揺動する揺動部材９は、羽根部材７，７を開位置から閉位置へと回動させる。電磁石１３への通電は、羽根部材７，７を開位置から閉位置へと回動させるのに必要な力が発揮される程度のごく短時間だけでよく、このとき消費されるエネルギーは、ソレノイドに通電して同種の羽根部材を開位置に保持し続ける場合よりも、格段に少なくて済む。
【００３２】
羽根部材７，７を閉位置に作動させるタイミングは、弾球遊技機毎に設定される条件によって変わり、この条件は任意であるが、例えば、羽根部材７，７が開位置にある状態において次の遊技球が入賞したことを通過センサ１９で検出した場合、羽根部材７，７が開位置にある状態において所定数（例えば１０個）の遊技球が入賞したことを通過センサ１９の出力に基づいてカウントした場合などとすることができる。また、時間制限を設けて、所定時間が経過したら羽根部材７，７を閉位置に作動させてもよく、例えば１０秒後には入賞の有無にかかわらず羽根部材７，７を閉位置に作動させる、といった動作態様にすることもできる。さらに、これら入球数や時間制限を併用することも可能であり、他の入賞装置に入賞したことを条件に本入賞装置を作動させるなど、複数の入賞装置を連動させることもできる。
【００３３】
以上のような入賞装置１によれば、入賞した遊技球の重みで羽根部材７，７が開位置へと回動し、さらに永久磁石１１と電磁石１３との磁着によって羽根部材７，７が開位置で保持されるので、同種の羽根部材が開位置にある状態を維持するためにソレノイドへの通電を継続する入賞装置とは異なり、無駄なエネルギー消費を抑制できる。
【００３４】
また、羽根部材７，７の位置を開位置又は閉位置のいずれで保持する場合にも電磁石１３への通電を継続する必要がなく、電磁石１３の過熱や焼損を招くことはないので、例えば、遊技球が次に入球するまでは時間制限無しで開状態を維持するとか、遊技球が所定数入球するまでは時間制限無しで開状態を維持するなど、時間制限無しで開状態を維持することも可能となる。
【００３５】
さらに、ソレノイドは可動鉄心が組み込まれた電気−機械変換素子であり、吸引力・反発力のみを発生させる電磁石１３に比べると構造が複雑で高価な部品になるので、本発明の入賞装置１の方が、ソレノイドを組み込んだ入賞装置よりも安価に提供できるものとなる。
【００３６】
加えて、本実施形態の場合、揺動部材９が第１の位置へ揺動したときに永久磁石１１に当接する位置に、永久磁石１１に磁着する磁着部材１５が設けてあるので、揺動部材９が第１の位置へ揺動したときにも、揺動部材９を第１の位置に維持することが容易である。
【００３７】
また、揺動部材９が第１の位置へ揺動したことを検出する揺動位置センサ１７を設けてあるので、揺動部材９が第１の位置へ揺動したことを確実に検出でき、揺動部材９が第１の位置へ揺動したことを揺動位置センサ１７で検出するまで電磁石１３に通電したり、電磁石１３に一定時間通電した後に揺動部材９が第１の位置へ揺動したことを揺動位置センサ１７で検出できない場合に電磁石１３に再度通電したりするなどの処理が可能となり、羽根部材７，７を間違いなく閉位置に変位させることができるようになる。
【００３８】
また、入賞口２５に入った遊技球が通過したことを検出する通過センサ１９を設けてあるので、入賞装置１の遊技機への組み込みに際し、別途通過センサを設けなくても遊技球の入賞を検出できるので便利である。
【００３９】
以上、本発明の実施形態について説明したが、本発明は上記の具体的な一実施形態に限定されず、この他にも種々の形態で実施することができる。
例えば、上記実施形態では、揺動位置センサ１７をホールＩＣで構成してあったが、位置検出が可能な各種リミットスイッチであれば、どれでも揺動位置センサ１７として利用できる。
【００４０】
また、上記実施形態では特に言及していないが、本入賞装置は、最も代表的な弾球遊技機であるパチンコ機はもちろんのこと、アレンジボールやその他の弾球遊技機においても採用することができる。
【図面の簡単な説明】
【００４１】
【図１】本発明の実施形態として説明した弾球遊技機の入賞装置を示す図であり、（ａ）はその平面図、（ｂ）はその正面図、（ｃ）はその右側面図である。
【図２】上記入賞装置の本体に形成された入賞口と羽根部材の位置関係を示す図であり、（ａ）は羽根部材が閉位置にある状態を示す図、（ｂ）は羽根部材が開位置にある状態を示す図である。
【図３】上記入賞装置を示す図であり、（ａ）は揺動部材が第１の位置にある状態を示す縦断面図、（ｂ）は揺動部材が第２の位置にある状態を示す縦断面図である。
【符号の説明】
【００４２】
１・・・入賞装置、３・・・本体、５・・・遊技球受け、７・・・羽根部材、９・・・揺動部材、１１・・・永久磁石、１３・・・電磁石、１５・・・磁着部材（鉄心）、１７・・・揺動位置センサ、１９・・・通過センサ、２３・・・連接桿、２５・・・入賞口、２７・・・軸受体、３１・・・爪部、３３・・・連結部、３５・・・アーム部、３７・・・受け皿部、３９・・・傾斜板。
【図１】
2005028034.tif 000003
【図２】
2005028034.tif 000004
【図３】
2005028034.tif 000005